【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
端末に通知メッセージを送信するための装置であって、前記装置は、
前記通知メッセージのフィルタリングにおける使用のためのフィルタタイプを定義するフィルタ定義を受信するための第１の入力部と、
通知入力データを受信するための第２の入力部と、
前記端末に前記フィルタ定義を送信し、
前記フィルタ定義から導出されるパラメータに対応するフィルタ要素であって、前記パラメータの値は前記通知入力データに対応し、前記フィルタ要素は、前記端末において前記通知メッセージに対して実行されるフィルタリング動作の間に利用されるべきものであるフィルタ要素を決定し、
前記フィルタ要素を有する前記通知メッセージを生成し、
前記通知メッセージを前記端末に送信する
ためのプロセッサと、
を有する装置。
【請求項２】
前記フィルタタイプは、定義されるべきフィルタの構文及びセマンティクスを定義し、前記プロセッサは、前記定義されるべきフィルタの構文及びセマンティクスを、前記フィルタ定義によって前記端末に送信する、請求項１に記載の装置。
【請求項３】
前記フィルタ定義は、特定のフィルタタイプを識別するためのフィルタタイプ識別子を有し、前記プロセッサは、前記フィルタタイプ識別子を、前記フィルタ定義によって前記端末に送信する、請求項１に記載の装置。
【請求項４】
前記フィルタ要素は、前記フィルタタイプ識別子に対応する更なるフィルタタイプ識別子を有し、前記プロセッサは、前記更なるフィルタタイプ識別子を、前記フィルタ要素によって前記端末に送信する、請求項３に記載の装置。
【請求項５】
設定入力データを受信するための第３の入力部を更に有し、前記プロセッサは、前記フィルタ定義と組み合わせて前記設定入力データを設定データとして送信する、請求項１に記載の装置。
【請求項６】
前記プロセッサは、ＤＶＢ−Ｈによってインターネット・プロトコル・データキャストに対応するプロトコルを用いて前記通知メッセージを送信するように構成された、請求項１に記載の装置。
【請求項７】
通知メッセージを受信する装置であって、前記装置は、
前記通知メッセージを受信し、前記通知メッセージのフィルタリングにおける使用のためのフィルタタイプを定義するフィルタ定義を受信するための、第１の入力部を持つ通信モジュールと、
前記フィルタ定義に基づいて前記装置におけるフィルタを設定するための、前記通信モジュールに通信可能に結合されたプロセッサと、
を有し、前記フィルタは、前記装置において前記通知メッセージを受信するように構成され、前記通知メッセージは、フィルタ要素を有し、前記フィルタ要素は、前記フィルタ定義から導出されるパラメータに対応し、前記フィルタ要素は、前記装置において前記通知メッセージに対して実行されるフィルタリング動作の間に利用されるべきものであり、前記フィルタは更に、前記フィルタ要素に基づいて、前記装置において前記通知メッセージをフィルタリングするように構成された、装置。
【請求項８】
前記通信モジュールが前記フィルタを有する、請求項７に記載の装置。
【請求項９】
コプロセッサを更に有し、前記コプロセッサが前記フィルタを有する、請求項７に記載の装置。
【請求項１０】
前記フィルタ定義は、特定のフィルタタイプを識別するためのフィルタタイプ識別子を有し、前記プロセッサは、前記フィルタタイプ識別子に基づいて前記通知メッセージをフィルタリングするように前記フィルタを設定するよう構成された、請求項７に記載の装置。
【請求項１１】
前記フィルタ要素は、前記フィルタタイプ識別子に対応する更なるフィルタタイプ識別子を有し、前記フィルタは、前記更なるフィルタタイプ識別子が前記フィルタタイプ識別子に対応する場合に、フィルタリングされた通知メッセージを通過させるように構成された、請求項１０に記載の装置。
【請求項１２】
前記フィルタ要素は、フィルタ要素値を有し、前記プロセッサは、前記フィルタ要素値に基づいて、前記通知メッセージを更にフィルタリングするように前記フィルタを設定するように構成された、請求項１０に記載の装置。
【請求項１３】
前記通信モジュールは更に、前記装置における前記通知メッセージのフィルタリングに基づいて、前記プロセッサの動作を制御するためのプロセッサ制御信号を有する、請求項７に記載の装置。
【請求項１４】
前記通信モジュールは、ＤＶＢ−Ｈによってインターネット・プロトコル・データキャストに対応するプロトコルを用いて前記通知メッセージを受信するよう構成された、請求項７に記載の装置。
【請求項１５】
ディジタルビデオ記録装置と、
ネットワーク接続可能な装置と、
条件付きアクセスシステムと、
携帯型オーディオプレイヤと、
携帯型ビデオプレイヤと、
モバイル電話と、
ＤＶＤプレイヤと、
ＣＤプレイヤと、
ハードディスクベースのメディアプレイヤと、
インターネットラジオプレイヤと、
コンピュータと、
テレビジョンと、
一般向け娯楽装置と、
ＭＰ３プレイヤと、
から成る群の少なくとも１つとして実現される、請求項７に記載の装置。
【請求項１６】
端末に通知メッセージを送信するための方法であって、
前記通知メッセージのフィルタリングにおける使用のためのフィルタタイプを定義するフィルタ定義を受信するステップと、
前記フィルタ定義を前記端末に送信するステップと、
通知入力データを受信するステップと、
前記フィルタ定義から導出されるパラメータに対応するフィルタ要素を決定するステップであって、前記パラメータの値は前記通知入力データに対応し、前記フィルタ要素は、前記端末において前記通知メッセージに対して実行されるフィルタリング動作の間に利用されるべきものであるステップと、
前記フィルタ要素を有する前記通知メッセージを生成するステップと、
前記通知メッセージを前記端末に送信するステップと、
を有する方法。
【請求項１７】
端末において通知メッセージを受信するための方法であって、
前記通知メッセージのフィルタリングにおける使用のためのフィルタタイプを定義するフィルタ定義を受信するステップと、
前記フィルタ定義に基づいて前記端末におけるフィルタを設定するステップと、
前記端末において前記通知メッセージを受信するステップであって、前記通知メッセージは、前記フィルタ定義から導出されるパラメータに対応するフィルタ要素を有し、前記フィルタ要素は、前記端末において前記通知メッセージに対して実行されるフィルタリング動作の間に利用されるべきものであるステップと、
前記フィルタ要素に基づいて、前記フィルタを用いて前記端末において前記通知メッセージをフィルタリングするステップと、
を有する方法。
【請求項１８】
通知メッセージを送信するためのシステムであって、
請求項１に記載の送信装置と、
請求項７に記載の端末装置と、
を有するシステム。
【請求項１９】
プログラム可能な装置のメモリに直接にロード可能なプログラム要素であって、前記プログラム要素は、前記プログラム要素が前記装置において実行されるときに、
通知メッセージのフィルタリングにおける使用のためのフィルタタイプを定義するフィルタ定義を受信し、
前記フィルタ定義を端末に送信し、
通知入力データを受信し、
前記フィルタ定義から導出されるパラメータに対応するフィルタ要素であって、前記パラメータの値は前記通知入力データに対応し、前記フィルタ要素は、前記端末において前記通知メッセージに対して実行されるフィルタリング動作の間に利用されるべきものであるフィルタ要素を決定し、
前記フィルタ要素を有する前記通知メッセージを生成し、
前記通知メッセージを前記端末に送信する
方法を実行するためのソフトウェアコード部分を有する、プログラム要素。
【請求項２０】
プログラム可能な装置のメモリに直接にロード可能なコンピュータ読み取り可能な媒体であって、前記媒体は、前記装置において実行されるときに、
通知メッセージのフィルタリングにおける使用のためのフィルタタイプを定義するフィルタ定義を受信し、
前記フィルタ定義を端末に送信し、
通知入力データを受信し、
前記フィルタ定義から導出されるパラメータに対応するフィルタ要素であって、前記パラメータの値は前記通知入力データに対応し、前記フィルタ要素は、前記端末において前記通知メッセージに対して実行されるフィルタリング動作の間に利用されるべきものであるフィルタ要素を決定し、
前記フィルタ要素を有する前記通知メッセージを生成し、
前記通知メッセージを前記端末に送信する
方法を実行するためのソフトウェアコード部分を有する、コンピュータ読み取り可能な媒体。
【請求項２１】
プログラム可能な装置のメモリに直接にロード可能なプログラム要素であって、前記プログラム要素は、前記プログラム要素が前記装置において実行されるときに、
通知メッセージのフィルタリングにおける使用のためのフィルタタイプを定義するフィルタ定義を受信し、
前記フィルタ定義に基づいて端末におけるフィルタを設定し、
前記フィルタ定義から導出されるパラメータに対応するフィルタ要素であって、前記端末において前記通知メッセージに対して実行されるフィルタリング動作の間に利用されるべきフィルタ要素を有する前記通知メッセージを前記端末において受信し、
前記フィルタ要素に基づいて、前記フィルタを用いて前記端末において前記通知メッセージをフィルタリングする
方法を実行するためのソフトウェアコード部分を有する、プログラム要素。
【請求項２２】
プログラム可能な装置のメモリに直接にロード可能なコンピュータ読み取り可能な媒体であって、前記媒体は、前記装置において実行されるときに、
通知メッセージのフィルタリングにおける使用のためのフィルタタイプを定義するフィルタ定義を受信し、
前記フィルタ定義に基づいて端末におけるフィルタを設定し、
前記フィルタ定義から導出されるパラメータに対応するフィルタ要素であって、前記端末において前記通知メッセージに対して実行されるフィルタリング動作の間に利用されるべきフィルタ要素を有する前記通知メッセージを前記端末において受信し、
前記フィルタ要素に基づいて、前記フィルタを用いて前記端末において前記通知メッセージをフィルタリングする
方法を実行するためのソフトウェアコード部分を有する、コンピュータ読み取り可能な媒体。